(57)【特許請求の範囲】
【請求項１】
飲料缶を囲んで包装する包装紙であって、
前記飲料缶を包装した状態で前記飲料缶の上方に位置する上面部と、
前記飲料缶を包装した状態で前記飲料缶の側方に位置する一対の側面部と、
前記飲料缶を包装した状態で前記飲料缶の下方に位置する下面部と、
前記側面部の端部で内側に折り曲げられるガセット部と、を備え、
前記ガセット部は、内側に折り曲げられる折り曲げ部と、前記折り曲げ部の外側に位置しており前記折り曲げ部及び前記上面部を連結する連結部と、を有し、
前記折り曲げ部と前記連結部との境界には、直線状の第１ミシン目が形成されており、
前記折り曲げ部と前記側面部との境界には、直線状の第２ミシン目が形成されており、
前記第１ミシン目は、直線状の第１スリットと、前記第１スリットの両端に位置して前記折り曲げ部及び前記連結部を繋ぐ直線状の第１繋ぎ部と、によって形成されており、
各前記第１繋ぎ部の長さは、５．０ｍｍ以上且つ７．０ｍｍ未満である、
包装紙。
【請求項２】
前記第１スリットの前記下面部側の端部における前記連結部の幅は、各前記第１繋ぎ部の長さよりも長く、且つ前記上面部側の前記第１繋ぎ部における前記上面部側の端部の前記連結部の幅よりも短い、
請求項１に記載の包装紙。
【請求項３】
前記第２ミシン目は、第２スリットと第２繋ぎ部とが直線状に交互に並ぶことによって形成されており、
前記第１繋ぎ部の長さの合計の値をＡ（ｍｍ）、前記第２繋ぎ部の長さの合計の値をＢ（ｍｍ）としたときに（Ａ及びＢは正の実数）、
０．４３５≦（Ａ／Ｂ）≦０．６５０
を満たす請求項１又は２に記載の包装紙。
【請求項４】
請求項１〜３のいずれか一項に記載の包装紙と、
前記包装紙によって包装された飲料缶と、
を備えた包装製品。
【発明の詳細な説明】
【技術分野】
【０００１】
本発明は、複数の飲料缶を纏めて包装する包装紙及び包装製品に関する。
【背景技術】
【０００２】
ビール等のアルコール飲料又は清涼飲料等を収容する複数の飲料缶を纏めて包装する包装紙としては種々のものが知られている。特開２０１５−１２３９８４号公報には、直列した３個の飲料缶を２列に並べた６個の飲料缶を纏めて包装するマルチパック用包装箱が記載されている。このマルチパック用包装箱は、複数の折り曲げ線で折り曲げられることによって６個の飲料缶を上下左右から囲んで包装している。
【０００３】
このマルチパック用包装箱は、前後に開口する開口部から飲料缶が飛び出したり脱落したりするのを防止する保持フラップ部（ガセット部）を有する。保持フラップ部は、開口部の内側に折り込まれて内部の飲料缶を保持する押し込みフラップ片（折り曲げ部）と、押し込みフラップ片から上面部に向かって斜めに延びる抜き止め帯片（連結部）とによって構成されている。
【先行技術文献】
【特許文献】
【０００４】
【特許文献１】特開２０１５−１２３９８４号公報
【発明の概要】
【発明が解決しようとする課題】
【０００５】
前述したマルチパック用包装箱のような包装紙では、飲料缶の脱落を防止するガセット部が設けられているので、開口部から飲料缶が抜け出るのを防止することが可能である。しかしながら、例えば前述の包装紙で包装された包装製品が落下して衝撃を受けたときに、ガセット部が破断することがある。
【０００６】
また、ガセット部は、内側に折り込まれる折り曲げ部と、折り曲げ部から上面部に向かって斜めに延びる連結部とによって構成されており、折り曲げ部と連結部との接続強度の強弱によってガセット部に破断が生じやすくなる。具体的には、折り曲げ部と連結部との接続強度が強すぎる場合には、落下時に折り曲げ部と側面部との間で破断が生じやすくなり、折り曲げ部と連結部との接続強度が弱すぎる場合には、落下時に連結部又は連結部と折り曲げ部との境目部分で破断が生じやすくなる。このように、前述した包装紙は、落下に対する強度の点で改善の余地がある。
【０００７】
そこで、本発明は、落下に対する強度が高められた包装紙及び包装製品を提供することを目的とする。
【課題を解決するための手段】
【０００８】
本発明に係る包装紙は、飲料缶を囲んで包装する包装紙であって、飲料缶を包装した状態で飲料缶の上方に位置する上面部と、飲料缶を包装した状態で飲料缶の側方に位置する一対の側面部と、飲料缶を包装した状態で飲料缶の下方に位置する下面部と、側面部の端部で内側に折り曲げられるガセット部と、を備え、ガセット部は、内側に折り曲げられる折り曲げ部と、折り曲げ部の外側に位置しており折り曲げ部及び上面部を連結する連結部と、を有し、折り曲げ部と連結部との境界には、直線状の第１ミシン目が形成されており、折り曲げ部と側面部との境界には、直線状の第２ミシン目が形成されており、第１ミシン目は、直線状の第１スリットと、第１スリットの両端に位置して折り曲げ部及び連結部を繋ぐ直線状の第１繋ぎ部と、によって形成されており、各第１繋ぎ部の長さは、５．０ｍｍ以上且つ７．０ｍｍ未満である。
【０００９】
本発明に係る包装紙によれば、連結部と折り曲げ部とは、第１ミシン目を介して連続しており、第１ミシン目の２つの第１繋ぎ部によって繋がっている。そして、２つの第１繋ぎ部のそれぞれの長さを５．０ｍｍ以上且つ７．０ｍｍ未満とすることにより、連結部と折り曲げ部との接続強度を良好にすることができ、包装製品が落下したときに連結部及び折り曲げ部を破断しにくくすることができる。従って、落下に対するガセット部の強度を高めることができる。
【００１０】
また、第１スリットの下面部側の端部における連結部の幅は、各第１繋ぎ部の長さよりも長く、且つ上面部側の第１繋ぎ部における上面部側の端部の連結部の幅よりも短くてもよい。この場合、連結部の幅を上面側から下面側に向かうにつれて狭くすることができると共に、第１スリットの下面側の端部における連結部の幅を各第１繋ぎ部の長さよりも長くしている。よって、連結部の幅を広げて連結部に衝撃力を集中させにくくすることができ、連結部の破断を一層確実に抑制することができる。
【００１１】
また、第２ミシン目は、第２スリットと第２繋ぎ部とが直線状に交互に並ぶことによって形成されており、第１繋ぎ部の長さの合計の値をＡ（ｍｍ）、第２繋ぎ部の長さの合計の値をＢ（ｍｍ）としたときに（Ａ及びＢは正の実数）、０．４３５≦（Ａ／Ｂ）≦０．６５０を満たしてもよい。連結部及び折り曲げ部を繋ぐ第１繋ぎ部の長さの合計と、折り曲げ部及び側面部を繋ぐ第２繋ぎ部の長さの合計と、を前述の関係とすることにより、連結部の強度と折り曲げ部の強度とのバランスを良好にすることができる。よって、連結部及び折り曲げ部を一層破断しにくくすることができ、落下に対する強度を更に高めることができる。
【００１２】
本発明に係る包装製品は、前述した包装紙と、当該包装紙によって包装された飲料缶と、を備えている。このように、本発明に係る包装製品は前述した包装紙を備えているので、落下に対するガセット部の強度が高められた包装製品とすることができる。
【発明の効果】
【００１３】
本発明によれば、落下に対する強度が高められた包装紙及び包装製品を提供することができる。
【図面の簡単な説明】
【００１４】
【図１】実施形態に係る包装紙及び包装製品を示す斜視図である。
【図２】図１の包装紙を示す展開図である。
【図３】図１の包装紙のガセット部周辺を示す斜視図である。
【図４】図３の展開図においてガセット部を拡大させた図である。
【図５】（ａ），（ｂ）及び（ｃ）は、包装紙及び包装製品に対する落下実験を説明するための図である。
【図６】図５の落下実験で用いた実施例及び比較例の仕様を示す図表である。
【図７】図５の落下実験の結果を実施例及び比較例毎に示す図表である。
【発明を実施するための形態】
【００１５】
以下、図面を参照して、包装紙及び包装製品の実施形態について詳細に説明する。図中において、同一又は相当する要素には同一の符号を付し、重複する説明を省略する。
【００１６】
図１に示されるように、本実施形態の包装紙１は、例えば６個の５００ｍｌの飲料缶Ｃを纏めて包装する６缶パックである。包装製品１００は、包装紙１と、包装紙１によって包装された飲料缶Ｃとによって構成されている。包装紙１は、飲料缶Ｃを包装した状態において、飲料缶Ｃの上方に位置する上面部２と、飲料缶Ｃの側方に位置する一対の側面部３と、飲料缶Ｃの下方に位置する下面部４とを備えている。包装紙１は、上下左右から６個の飲料缶Ｃを囲んで保持している。
【００１７】
なお、以下では、便宜上、包装された飲料缶Ｃから見て上面部２及び下面部４が位置する方向を上下方向とし、一対の側面部３が位置する方向を左右方向とし、上下方向及び左右方向に直交する方向を前後方向として説明する。ただし、これらの方向は単に説明の便宜上のものであって、本発明の範囲を限定するものではない。
【００１８】
図２に示されるように、包装紙１は、展開された状態では略長方形状となっている。展開された包装紙１では、分離された一対の下面部４が両端に位置しており、下面部４の中央側に側面部３が位置すると共に、側面部３の中央側に一つの上面部２が位置している。すなわち、展開された包装紙１では、分離された一方側の下面部４、一方の側面部３、上面部２、他方の側面部３、及び分離された他方の下面部４がこの順で並設されている。包装紙１の展開状態において、下面部４と側面部３とは、下面部４及び側面部３の並設方向に直交する方向に延びる折り曲げ線５を介して連続している。また、側面部３と上面部２とは、上記並設方向に直交する方向に延びる折り曲げ線６を介して連続している。
【００１９】
また、図１及び図２に示されるように、包装紙１は、飲料缶Ｃを包装した状態で前後方向に開放された一対の開口部１ａを有する。包装紙１は、それぞれの側面部３から開口部１ａに突出すると共に上面部２に向かって斜めに延びるガセット部１０を備える。各ガセット部１０は、各側面部３の上方側で開口部１ａの内側に突出することによって、飲料缶Ｃが開口部１ａから脱落しないように飲料缶Ｃを保持している。
【００２０】
上面部２は一対の把持部２ａを有しており、各把持部２ａは、Ｕ字状の切り取り部２ｂと、切り取り部２ｂの一端及び他端を連結する折り曲げ部２ｃとによって構成されている。把持部２ａは、その切り取り部２ｂが切り取られると共に切り取り部２ｂが包装紙１の内側に折り曲げられることによって、折り曲げ部２ｃの下に指を入れて包装製品１００を持ち上げることが可能となっている。
【００２１】
また、上面部２は、その一端２ｄから他端２ｅに向かって延びる一対の切り取り部２ｆを備える。各切り取り部２ｆは、一端２ｄから離れるに従って側面部３に向かうように所定長さだけ斜めに延びる斜辺部２ｇと、他端２ｅから離れるに従って側面部３に向かうように所定長さだけ斜めに延びる斜辺部２ｈと、斜辺部２ｇ，２ｈを連結すると共に折り曲げ線６に対して並行に延びる直線部２ｊとを含んでいる。また、切り取り部２ｆの一端２ｄには、Ｖ字状に凹む切り欠きが形成されているので、これらの切り欠きを始点として切り取り部２ｆを指で切り取りやすい形状となっている。
【００２２】
側面部３は、上面部２との境目部分に３つの孔部３ａ，３ｂ，３ｃを有しており、孔部３ａ，３ｂ，３ｃは、この順で折り曲げ線６に沿って配置されている。孔部３ａ及び孔部３ｃは折り曲げ線６の両端のそれぞれに配置されている。孔部３ｂは折り曲げ線６の中央に配置されている。これらの孔部３ａ，３ｂ，３ｃには飲料缶Ｃの上端の縁部Ｃ１が入り込む。また、側面部３の下面部４側には、ガセット部１０から内側に凹む凹部３ｄが形成されている。
【００２３】
側面部３と下面部４との間に位置する折り曲げ線５には、３つの缶底保持部７が配置されている。３つの缶底保持部７のうちの２つは折り曲げ線５の両端付近に配置されており、残りの１つは折り曲げ線５の中央に配置されている。缶底保持部７は、Ｕ字状に形成された切り取り部７ａと、切り取り部７ａの一端及び他端を接続する折り曲げ部７ｂとを有する。缶底保持部７は、包装紙１への飲料缶Ｃの包装時に切り取り部７ａが切り取られて折り曲げ部７ｂが内側（図２では紙面の奥側）に折り曲げられて飲料缶Ｃの缶底に入り込むことにより、各飲料缶Ｃを保持する。
【００２４】
分離された一方側の下面部４の端部には一対の係合突起４ａが形成されており、他方側の下面部４には各係合突起４ａが入り込む一対の係合孔４ｂが形成されている。係合突起４ａは、その根元に位置する折り曲げ部４ｃと、先端でＵ字状に拡張された拡張部４ｄとを有する。係合孔４ｂは折り曲げ線５に沿って延びる長穴状となっており、係合孔４ｂの長さは、折り曲げ部４ｃの長さよりも長く且つ拡張部４ｄの長さよりも短くなっている。従って、係合突起４ａの折り曲げ部４ｃを折り曲げて拡張部４ｄを係合孔４ｂに押し込むことにより、拡張部４ｄが係合孔４ｂ内で引っ掛かった状態が実現されるので、係合突起４ａを係合孔４ｂに係合させて包装紙１を図１に示されるように組み立てることが可能となる。
【００２５】
次に、包装紙１のガセット部１０について詳細に説明する。図３及び図４に示されるように、ガセット部１０は、折り曲げ線６の延在方向における側面部３の両端に配置されている。ガセット部１０は、開口部１ａの内側に折り曲げられる折り曲げ部１１と、折り曲げ部１１の外側（折り曲げ部１１から見て側面部３の反対側）に位置しており折り曲げ部１１と上面部２とを連結する連結部１２とを備えている。
【００２６】
折り曲げ部１１は、孔部３ａ，３ｃから下方に延びる部位であり、側面部３と連結部１２との間に介在する。折り曲げ部１１と連結部１２との境界には直線状の第１ミシン目１３が形成されており、折り曲げ部１１と側面部３との境界には直線状の第２ミシン目１４が形成されている。折り曲げ部１１の上方には孔部３ａ，３ｃが形成されており、折り曲げ部１１の下方には凹部３ｄが形成されており、折り曲げ部１１は第２ミシン目１４に沿って折り曲げ自在となっている。また、連結部１２と折り曲げ部１１との間には、内側に凹む切り欠き１５が形成されている。この切り欠き１５が形成されていることにより、折り曲げ部１１は一層折り曲げやすくなっている。
【００２７】
連結部１２は、上面部２から折り曲げ部１１に向かって下方に延びている。連結部１２は、上面部２との境界に位置する折り曲げ線８から下方に折り曲げられている。また、連結部１２の孔部３ａ，３ｃを成す辺１２ａと第１ミシン目１３とは略同一方向に、且つ第２ミシン目１４に対して斜めに延びている。従って、包装紙１の内部に飲料缶Ｃが入った状態で折り曲げ部１１が第２ミシン目１４に沿って内側に折り曲げられると、図１に示されるように、連結部１２は、上面部２に向かって飲料缶Ｃの外側で斜めに延在する。このように４つの連結部１２が飲料缶Ｃの外側で斜めに延在することにより、ガセット部１０による飲料缶Ｃの脱落防止が実現される。
【００２８】
ところで、複数の飲料缶Ｃを纏めて包装する６缶パックのような包装紙では、前述したガセット部における連結部と折り曲げ部との接続強度の強弱が重要である。具体的には、折り曲げ部１１と連結部１２との接続強度が強すぎる場合には、落下時に折り曲げ部１１と側面部３との間（第２ミシン目１４）で破断が生じやすくなり、折り曲げ部１１と連結部１２との接続強度が弱すぎる場合には、落下時に連結部１２又は連結部１２と折り曲げ部１１との境目部分（第１ミシン目１３）で破断が生じやすくなる。また、飲料缶Ｃとしては、３５０ｍｌ缶と５００ｍｌ缶が代表的であるが、特に５００ｍｌ缶である場合に上記の破断の問題が生じやすい。
【００２９】
本実施形態の包装紙１では、前述した問題を解決しており、折り曲げ部１１と連結部１２との接続強度が良好な状態が実現されている。以下では、その折り曲げ部１１及び連結部１２のより具体的な構成について説明する。
【００３０】
まず、折り曲げ部１１と連結部１２との境界である直線状の第１ミシン目１３は、直線状の第１スリット１３ａと、第１スリット１３ａの両端に位置して折り曲げ部１１と連結部１２とを繋ぐ第１繋ぎ部１３ｂ，１３ｃと、によって形成されている。第１繋ぎ部１３ｂは第１スリット１３ａの上方である孔部３ａ，３ｃ側に位置しており、第１繋ぎ部１３ｃは第１スリット１３ａの下方である切り欠き１５側に位置している。
【００３１】
第１繋ぎ部１３ｂの長さと第１繋ぎ部１３ｃの長さとは、互いに同一であってもよいし、異なっていてもよい。但し、第１繋ぎ部１３ｂの長さと第１繋ぎ部１３ｃの長さとは、互いに同一であることが落下に対する強度向上の点では好ましい。また、第１繋ぎ部１３ｂの長さと第１繋ぎ部１３ｃの長さは、５．０ｍｍ以上且つ７．０ｍｍ未満であり、好ましくは５．０ｍｍ以上且つ６．８ｍｍ未満、より好ましくは６．０ｍｍ以上且つ６．８ｍｍ未満である。
【００３２】
また、一層好ましい形態としては、第１繋ぎ部１３ｂ及び第１繋ぎ部１３ｃの長さが６．１ｍｍ〜６．４ｍｍ、第１スリット１３ａの長さが６．５ｍｍ〜７．０ｍｍ、第１ミシン目１３の全長を１８．７ｍｍ〜１９．８ｍｍ、とする例が挙げられる。
【００３３】
ここで、第１繋ぎ部１３ｂの長さ及び第１繋ぎ部１３ｃの長さの少なくともいずれかが５．０ｍｍ未満である場合には、第１ミシン目１３の強度が弱くなると共に連結部１２が破断されやすくなる。
【００３４】
第１スリット１３ａの下面部４側（第１繋ぎ部１３ｃ側）の端部１３ｄにおける連結部１２の幅Ｂ１は、第１繋ぎ部１３ｂ，１３ｃより長くてもよく、且つ、上面部２側の第１繋ぎ部１３ｂにおける上面部２側の端部１３ｅの連結部１２の幅Ｂ２より短くてもよい。ここで、一層好ましい形態としては、端部１３ｄにおける連結部１２の幅Ｂ１は６．６ｍｍ以上且つ７．６ｍｍ以下、端部１３ｅにおける幅Ｂ２は７．８ｍｍ以上且つ９．４ｍｍ以下、とする例が挙げられる。
【００３５】
また、折り曲げ部１１と側面部３との境界である直線状の第２ミシン目１４は、第２繋ぎ部１４ａ，１４ｃ，１４ｅ，１４ｇと第２スリット１４ｂ，１４ｄ，１４ｆとが直線状に交互に並ぶことによって形成されている。ここで、第１繋ぎ部１３ｂ，１３ｃの長さの合計の値をＡ（ｍｍ）、第２繋ぎ部１４ａ，１４ｃ，１４ｅ，１４ｇの長さの合計をＢ（ｍｍ）としたときに（Ａ及びＢは正の実数）、
０．４３５≦（Ａ／Ｂ）≦０．６５０
を満たしている。
【００３６】
また、この（Ａ／Ｂ）の値の上限は、０．６３０であることが好ましい上に、０．６００であることがより好ましく、０．５７０であることが一層好ましい。一方、（Ａ／Ｂ）の値の下限は、０．４６１であることが好ましい上に、０．５４２であることがより好ましい。ここで、更に好ましい形態として、（Ａ／Ｂ）の値は０．４３５≦（Ａ／Ｂ）≦０．５６９、第２繋ぎ部１４ａ，１４ｃ，１４ｅ，１４ｇの長さの合計は２２．５ｍｍ以上且つ２４．０ｍｍ以下、とする例が挙げられる。第２繋ぎ部１４ａ，１４ｃ，１４ｅ，１４ｇの長さの合計を２２．０ｍｍ以上且つ２４．０ｍｍ以下とすることにより、第２ミシン目１４の強度をより良好にできる。例えば、第２繋ぎ部１４ａ，１４ｃ，１４ｅ，１４ｇの長さの合計を２４．０ｍｍより長くすると、折り曲げ部１１を折り込む機械との機械適性が低下する。
【００３７】
ここで、（Ａ／Ｂ）の値が０．４３５未満である場合には、第１ミシン目１３の強度が低下する。また、（Ａ／Ｂ）の値が０．６５０を超え、且つ前述した幅Ｂ１が第１繋ぎ部１３ｃの長さよりも長い場合には、第２ミシン目１４が破断されやすくなる。
【００３８】
以上、ガセット部１０では、折り曲げ部１１及び連結部１２を構成する各要素を前述のようにすることで、折り曲げ部１１の強度と連結部１２の強度とのバランスを良好にすることができ、折り曲げ部１１及び連結部１２をより破断しにくくすることが可能となっている。ここで、図５〜図７に示されるように、前述した寸法の各要件を満たす例を実施例１〜６、満たさない例を比較例１〜３として落下試験を行い、ガセット部１０が破断するか否かを確認する実験を行った。以下では、この落下試験の方法と、試験の結果について説明する。
【００３９】
まず、図５（ａ）及び図５（ｂ）に示されるように、本試験は、４個の包装製品１００を上面部２を上にした状態で段ボール箱Ｄに収容し、段ボール箱Ｄを水平となるように維持した状態で緩衝材Ｋの上方に配置する。このとき、平面視において段ボール箱Ｄの一の短辺Ｄ１が緩衝材Ｋの内側に入り込むように段ボール箱Ｄを配置する。そして、図５（ｃ）示されるように、段ボール箱Ｄを落下させて短辺Ｄ１側の包装製品１００に落下衝撃を与え、短辺Ｄ１側に位置する４つの箇所Ｐにおけるガセット部１０の破断の有無を確認した。
【００４０】
また、図６に実施例１〜実施例６及び比較例１〜３の仕様を記載している。図６において、全長（ｍｍ）はガセット連結部である第１ミシン目１３の全長であり、「ミシン目ピッチ」の３列のうち左側が第１繋ぎ部１３ｂの長さ、中央が第１スリット１３ａの長さ、そして右側が第１繋ぎ部１３ｃの長さ、である。
【００４１】
図６において、ガセット横幅（ｍｍ）は連結部１２の幅であり、Ｂ１は第１スリット１３ａの下面部４側の端部１３ｄにおける連結部１２の幅Ｂ１であり、Ｂ２は上面部２側の第１繋ぎ部１３ｂにおける上面部２側の端部１３ｅの連結部１２の幅Ｂ２である。また、ガセット折り返し部は折り曲げ部１１であり、ミシン目ピッチの各数字は、左から第２繋ぎ部１４ａ、第２スリット１４ｂ、第２繋ぎ部１４ｃ、第２スリット１４ｄ、第２繋ぎ部１４ｅ、第２スリット１４ｆ及び第２繋ぎ部１４ｇ、の各長さを示している。なお、実施例４〜６及び比較例３では、第２繋ぎ部１４ｇの凹部３ｄ側に更にスリットが設けられている。また、ガセット折り返し部のつなぎ全長は、第２繋ぎ部１４ａ，１４ｃ，１４ｅ，１４ｇの長さの合計を示している。
【００４２】
図６で示した実施例１〜６及び比較例１〜３に対して図５の落下試験を行った結果、図７に示される結果が得られた。図７では、図５の落下試験を、４回行って１６箇所又は５回行って２０箇所のガセット部１０を確認した結果を示している。図７のガセット破損発生率のうち、連結部切断は、連結部１２の切断の発生率であり、（横）が付されているものは幅方向に連結部１２が切断した発生率を示している。連結部上切断は、連結部１２の上側、すなわち連結部１２の孔部３ａ，３ｃに隣接する部分の切断の発生率を示している。また、天面−ガセット連結部切断は、連結部１２と上面部２との境目部分（折り曲げ線８の部分）の切断の発生率を示しており、折り返し部切断は折り曲げ部１１の切断の発生率を示している。
【００４３】
図７に示されるように、まず、前述の（Ａ／Ｂ）の値が０．６５０を超えていて且つ幅Ｂ１が第１繋ぎ部１３ｃの長さよりも長い比較例１において、折り曲げ部１１の破断の発生率は３１．２５％であった。これに対し、第１繋ぎ部１３ｂ，１３ｃの長さが７．０ｍｍ未満である実施例１〜６では折り曲げ部１１の破断は見られなかった。
【００４４】
一方、第１繋ぎ部１３ｂ，１３ｃの長さが３．３ｍｍである比較例２において、連結部１２の破断の発生率は５５％であった。また、第１繋ぎ部１３ｂ，１３ｃの長さが５．３ｍｍである実施例６でも連結部１２の破断の発生率は１０％であったが、第１繋ぎ部１３ｂ，１３ｃの長さを５．０ｍｍ未満とした場合よりは良好な結果であった。第１繋ぎ部１３ｂ，１３ｃの長さが６．１ｍｍ〜６．４ｍｍである実施例１〜５では、連結部１２の破断の発生率が５％以下であり更に良好な結果であった。
【００４５】
また、第１繋ぎ部１３ｂの長さが７．９ｍｍである比較例３では、連結部１２の上側の破断の発生率は１５％であった。この比較例３のように第１繋ぎ部１３ｂの長さと第１繋ぎ部１３ｃの長さとの差が大きい場合、第１繋ぎ部１３ｂと第１繋ぎ部１３ｃとの間で強度の差が大きくなるので破断が生じやすいことが分かった。一方、実施例１〜６のように、第１繋ぎ部１３ｂと第１繋ぎ部１３ｃの長さを同程度にした場合には破断が生じにくいことが分かった。
【００４６】
次に、本実施形態の包装紙１及び包装製品１００における作用効果について説明する。まず、包装紙１によれば、連結部１２と折り曲げ部１１とは、第１ミシン目１３を介して連続しており、第１ミシン目１３の２つの第１繋ぎ部１３ｂ，１３ｃによって繋がっている。そして、２つの第１繋ぎ部１３ｂ，１３ｃのそれぞれの長さを５．０ｍｍ以上且つ７．０ｍｍ未満とすることにより、連結部１２と折り曲げ部１１との接続強度を良好にすることができる。よって、包装製品１００が落下したときに連結部１２及び折り曲げ部１１を破断しにくくすることができる。従って、落下に対するガセット部１０の強度を高めることができる。更に、包装製品１００は、包装紙１と、包装紙１によって包装された飲料缶Ｃとを備えているので、落下に対するガセット部１０の強度が高められた包装製品１００を提供することができる。
【００４７】
また、第１スリット１３ａの下面部４側の端部１３ｄにおける連結部１２の幅Ｂ１は、各第１繋ぎ部１３ｂ，１３ｃの長さより長くてもよく、且つ上面部２側の第１繋ぎ部１３ｂにおける上面部２側の端部１３ｅの連結部１２の幅Ｂ２より短くてもよい。この場合、連結部１２の幅は上面部２側から下面部４側に向かうにつれて狭くなる。また、第１スリット１３ａの下面部４側の端部１３ｄにおける連結部１２の幅Ｂ１が各第１繋ぎ部１３ｂ，１３ｃの長さよりも長く、連結部１２の幅を広げることができるので、連結部１２に衝撃力を集中させにくくすることができる。従って、連結部１２の破断を一層確実に抑制することができる。
【００４８】
また、第２ミシン目１４は、第２スリット１４ｂ，１４ｄ，１４ｆと第２繋ぎ部１４ａ，１４ｃ，１４ｅ，１４ｇとが直線状に交互に並ぶことによって形成されており、第１繋ぎ部１３ｂ，１３ｃの長さの合計の値をＡ（ｍｍ）、第２繋ぎ部１４ａ，１４ｃ，１４ｅ，１４ｇの長さの合計をＢ（ｍｍ）としたときに、０．４３５≦（Ａ／Ｂ）≦０．６５０を満たしている。連結部１２と折り曲げ部１１とを繋ぐ第１繋ぎ部１３ｂ，１３ｃの長さの合計と、折り曲げ部１１と側面部３とを繋ぐ第２繋ぎ部１４ａ，１４ｃ，１４ｅ，１４ｇの長さの合計と、を前述の関係とすることにより、連結部１２の強度と折り曲げ部１１の強度とのバランスを良好にすることができる。よって、連結部１２及び折り曲げ部１１を一層破断しにくくすることができ、落下に対する強度を更に高めることができる。
【００４９】
以上、本発明の実施形態について説明したが、本発明は、前述した実施形態に限られるものではなく、各請求項に記載した要旨を変更しない範囲で変形し、又は他のものに適用したものであってもよい。すなわち、本発明は、特許請求の範囲に記載した要旨を変更しない範囲で種々の変形が可能であり、ガセット部１０を構成する折り曲げ部１１、連結部１２、第１ミシン目１３、第２ミシン目１４及び切り欠き１５の構成及び形状は、前述の要旨を変更しない範囲で適宜変更可能である。
【符号の説明】
【００５０】
１…包装紙、１ａ…開口部、２…上面部、２ａ…把持部、２ｂ…切り取り部、２ｃ…折り曲げ部、２ｄ…一端、２ｅ…他端、２ｆ…切り取り部、２ｇ，２ｈ…斜辺部、２ｊ…直線部、２ｋ…切り欠き、３…側面部、３ａ，３ｂ、３ｃ…孔部、３ｄ…凹部、４…下面部、４ａ…係合突起、４ｂ…係合孔、４ｃ…折り曲げ部、４ｄ…拡張部、５，６…折り曲げ線、７…缶底保持部、７ａ…切り取り部、７ｂ…折り曲げ部、８…折り曲げ線、１０…ガセット部、１１…折り曲げ部、１２…連結部、１２ａ…辺、１３…第１ミシン目、１３ａ…第１スリット、１３ｂ，１３ｃ…第１繋ぎ部、１４…第２ミシン目、１４ａ，１４ｃ，１４ｅ，１４ｇ…第２繋ぎ部、１４ｂ，１４ｄ，１４ｆ…第２スリット、１５…切り欠き、１００…包装製品、Ｄ…段ボール箱、Ｄ１…短辺、Ｋ…緩衝材、Ｐ…箇所。
【図１】
0006560583.tif 000002
【図２】
0006560583.tif 000003
【図３】
0006560583.tif 000004
【図４】
0006560583.tif 000005
【図５】
0006560583.tif 000006
【図６】
0006560583.tif 000007
【図７】
0006560583.tif 000008